(57)【要約】【課題】本発明は温度を下げることができる運動アームバッグを開示した。【解決手段】アームバッグベースとアームネットとを含み、前記アームバッグベースの中には密閉溝が設置され、前記密閉溝の中には温度下げ機構がスライドできるように設置され、前記温度下げ機構は長ロッドを含み、前記密閉溝の後端壁が収納溝により外部空間に連通しており、前記密閉溝の中には密閉ブロックがスライドできるように設置される。この装置は携帯しやすく、運動過程において運動により生じた風を強くさせ、且つアームバッグの装着されたところに吹かせ、これによりアームの温度を下げ、アームバッグの良い掛け心地を保証し、また運動過程において水を便利に取って飲むことができ、長時間運動の使用に適する。【選択図】図１
2020175062.tif 000002
【特許請求の範囲】
【請求項１】
アームバッグベースとアームネットとを含み、前記アームバッグベースの中には密閉溝が設置され、前記密閉溝の中には温度下げ機構がスライドできるように設置され、前記温度下げ機構は長ロッドを含み、前記密閉溝の後端壁が収納溝により外部空間に連通しており、前記密閉溝の中には密閉ブロックがスライドできるように設置され、前記密閉ブロックの後端面には後端が前記収納溝の中に位置している前記長ロッドが固定され、前記長ロッドの中にはＬ型溝が設置され、前記長ロッドの後端面の左側には後端が外部空間に位置している回転板がヒンジでつながれ、前記長ロッドの後端面の右側には後端が外部空間に位置しているガイド板がヒンジでつながれ、前記回転板の右端面には空気阻み板が固定され、前記ガイド板の左端面には制限板が固定され、前記回転板と前記ガイド板との間が二つの折り畳み布により固定的に連結され、二つの前記折り畳み布の間には前記回転板と前記ガイド板とを固定する圧力ばねが設置され、前記長ロッドの上端面の中心には前記Ｌ型溝に連通している通気管が固定され、前記温度下げ機構の左側には空気機構が設置され、前記空気機構は前記アームバッグベースと固定的に連結される弧状ブロックを含み、前記弧状ブロックの中には後端壁が外部空間に連通している方形溝が設置され、前記弧状ブロックの左端面には前記アームネットが固定され、前記アームネットの中には前記アームネットの上下端面を貫通している円柱溝が設置され、前記アームネットの中には前記円柱溝に連通している環状溝が設置され、前記環状溝の中には環状管が植設され、前記環状管の中には空気チャンバが設置され、前記空気チャンバの端壁には二十五個の排気口が均一的に分布しており、前記環状溝が横溝により前記方形溝と連通しており、前記空気チャンバの右端壁には前記空気チャンバと前記Ｌ型溝とを連通させるホースが固定され、前記ホースの中には空気輸送溝が設置され、前記アームネットの中には右端が前記密閉溝の中に位置している熱伝導ロッドが植設され、前記熱伝導ロッドが前記アームネットの中の熱量を前記密閉溝の中に伝導でき、これにより前記密閉ブロックが後ろへ運動することを特徴とする温度を下げることができる運動アームバッグ。
【請求項１】
前記アームバッグベースの右端面にはアームバッグが固定され、前記アームバッグの中には貯蔵溝が設置され、前記アームバッグの上端面には弧状布が固定され、前記弧状布の前端面の左側には半円シートが固定され、前記弧状布の前端面の右側には半円ブロックが固定され、前記弧状布の中には短務歯とロック務歯とが植設され、前記短務歯の中には短引き手が設置され、前記ロック務歯の中にはロック引き手が設置され、前記ロック引き手と前記短引き手とを引き動かして前記半円シートと前記半円ブロックとを近づかせまたは離れさせることができることを特徴とする請求項１に記載の温度を下げることができる運動アームバッグ。
【発明の詳細な説明】
【技術分野】
【０００１】
本発明は運動用品分野を取り上げて、具体的には温度を下げることができる運動アームバッグである。
【背景技術】
【０００２】
運動アームバッグは激しい運動をする時に水などの手荷物を携帯することに用いられる運動用品であり、しかし、現有の運動アームバッグを装着する時、装着されたところが熱くなるため、使用者の使い心地が悪く、長時間装着するとあせもが出る可能性もある。
【先行技術文献】
【特許文献】
【０００３】
【特許文献１】中国特許出願公開第105881470号明細書
【発明の概要】
【発明が解決しようとする課題】
【０００４】
本発明は温度を下げることができる運動アームバッグを提供し、上記背景技術において提示された問題を解決することを目的とする。
【課題を解決するための手段】
【０００５】
上記の目的を実現するために、本発明は以下の技術プランを提供する：温度を下げることができる運動アームバッグは、アームバッグベースとアームネットとを含み、前記アームバッグベースの中には密閉溝が設置され、前記密閉溝の中には温度下げ機構がスライドできるように設置され、前記温度下げ機構は長ロッドを含み、前記密閉溝の後端壁が収納溝により外部空間に連通しており、前記密閉溝の中には密閉ブロックがスライドできるように設置され、前記密閉ブロックの後端面には後端が前記収納溝の中に位置している前記長ロッドが固定され、前記長ロッドの中にはＬ型溝が設置され、前記長ロッドの後端面の左側には後端が外部空間に位置している回転板がヒンジでつながれ、前記長ロッドの後端面の右側には後端が外部空間に位置しているガイド板がヒンジでつながれ、前記回転板の右端面には空気阻み板が固定され、前記ガイド板の左端面には制限板が固定され、前記回転板と前記ガイド板との間が二つの折り畳み布により固定的に連結され、二つの前記折り畳み布の間には前記回転板と前記ガイド板とを固定する圧力ばねが設置され、前記長ロッドの上端面の中心には前記Ｌ型溝に連通している通気管が固定され、前記温度下げ機構の左側には空気機構が設置され、前記空気機構は前記アームバッグベースと固定的に連結される弧状ブロックを含み、前記弧状ブロックの中には後端壁が外部空間に連通している方形溝が設置され、前記弧状ブロックの左端面には前記アームネットが固定され、前記アームネットの中には前記アームネットの上下端面を貫通している円柱溝が設置され、前記アームネットの中には前記円柱溝に連通している環状溝が設置され、前記環状溝の中には環状管が植設され、前記環状管の中には空気チャンバが設置され、前記空気チャンバの端壁には二十五個の排気口が均一的に分布しており、前記環状溝が横溝により前記方形溝と連通しており、前記空気チャンバの右端壁には前記空気チャンバと前記Ｌ型溝とを連通させるホースが固定され、前記ホースの中には空気輸送溝が設置され、前記アームネットの中には右端が前記密閉溝の中に位置している熱伝導ロッドが植設され、前記熱伝導ロッドが前記アームネットの中の熱量を前記密閉溝の中に伝導でき、これにより前記密閉ブロックが後ろへ運動する。
【０００６】
好ましくは、前記アームバッグベースの右端面にはアームバッグが固定され、前記アームバッグの中には貯蔵溝が設置され、前記アームバッグの上端面には弧状布が固定され、前記弧状布の前端面の左側には半円シートが固定され、前記弧状布の前端面の右側には半円ブロックが固定され、前記弧状布の中には短務歯とロック務歯とが植設され、前記短務歯の中には短引き手が設置され、前記ロック務歯の中にはロック引き手が設置され、前記ロック引き手と前記短引き手とを引き動かして前記半円シートと前記半円ブロックとを近づかせまたは離れさせることができる。
【発明の効果】
【０００７】
以上により、本発明の有益効果は：この装置は携帯しやすく、運動過程において運動により生じた風を強くさせ、且つアームバッグの装着されたところに吹かせ、これによりアームの温度を下げ、アームバッグの良い掛け心地を保証し、また運動過程において水を便利に取って飲むことができ、長時間運動の使用に適する。
【図面の簡単な説明】
【０００８】
以下に図１〜３を交えて本発明を詳しく説明する。便利に叙述するために、後文に出る方位を下記の通りに規定する：後文に出る上下左右前後方向は図１本体の投影関係の上下左右前後方向と一致する。
【０００９】
【図１】図１は本発明の温度を下げることができる運動アームバッグ全体の断面正面構成模式図
【図２】図２は本発明の温度を下げることができる運動アームバッグ全体の平面断面構成模式図
【図３】図３は本発明の温度を下げることができる運動アームバッグの中のアームバッグの平面断面構成模式図
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。  
【００１１】
図１〜３を参照し、本発明の温度を下げることができる運動アームバッグは、アームバッグベース２０とアームネット１０とを含み、前記アームバッグベース２０の中には密閉溝１９が設置され、前記密閉溝１９の中には温度下げ機構５１がスライドできるように設置され、前記温度下げ機構５１は長ロッド３９を含み、前記密閉溝１９の後端壁が収納溝３５により外部空間に連通しており、前記密閉溝１９の中には密閉ブロック２７がスライドできるように設置され、前記密閉ブロック２７の後端面には後端が前記収納溝３５の中に位置している前記長ロッド３９が固定され、前記長ロッド３９の中にはＬ型溝３８が設置され、前記長ロッド３９の後端面の左側には後端が外部空間に位置している回転板３２がヒンジでつながれ、前記長ロッド３９の後端面の右側には後端が外部空間に位置しているガイド板３４がヒンジでつながれ、前記回転板３２の右端面には空気阻み板３１が固定され、前記ガイド板３４の左端面には制限板３６が固定され、前記回転板３２と前記ガイド板３４との間が二つの折り畳み布３３により固定的に連結され、二つの前記折り畳み布３３の間には前記回転板３２と前記ガイド板３４とを固定する圧力ばね４３が設置され、前記長ロッド３９の上端面の中心には前記Ｌ型溝３８に連通している通気管３７が固定され、前記温度下げ機構５１の左側には空気機構５０が設置され、前記空気機構５０は前記アームバッグベース２０と固定的に連結される弧状ブロック１８を含み、前記弧状ブロック１８の中には後端壁が外部空間に連通している方形溝１７が設置され、前記弧状ブロック１８の左端面には前記アームネット１０が固定され、前記アームネット１０の中には前記アームネット１０の上下端面を貫通している円柱溝１５が設置され、前記アームネット１０の中には前記円柱溝１５に連通している環状溝１４が設置され、前記環状溝１４の中には環状管１３が植設され、前記環状管１３の中には空気チャンバ１１が設置され、前記空気チャンバ１１の端壁には二十五個の排気口１２が均一的に分布しており、前記環状溝１４が横溝１６により前記方形溝１７と連通しており、前記空気チャンバ１１の右端壁には前記空気チャンバ１１と前記Ｌ型溝３８とを連通させるホース２８が固定され、前記ホース２８の中には空気輸送溝３０が設置され、前記アームネット１０の中には右端が前記密閉溝１９の中に位置している熱伝導ロッド２９が植設され、前記熱伝導ロッド２９が前記アームネット１０の中の熱量を前記密閉溝１９の中に伝導でき、これにより前記密閉ブロック２７が後ろへ運動する。
【００１２】
有益的には、前記アームバッグベース２０の右端面にはアームバッグ２６が固定され、前記アームバッグ２６の中には貯蔵溝２５が設置され、前記アームバッグ２６の上端面には弧状布２１が固定され、前記弧状布２１の前端面の左側には半円シート２２が固定され、前記弧状布２１の前端面の右側には半円ブロック２４が固定され、前記弧状布２１の中には短務歯２３とロック務歯４０とが植設され、前記短務歯２３の中には短引き手４２が設置され、前記ロック務歯４０の中にはロック引き手４１が設置され、前記ロック引き手４１と前記短引き手４２とを引き動かして前記半円シート２２と前記半円ブロック２４とを近づかせまたは離れさせることができる。
【００１３】
以下、出願人は付図１−３及び上記の本出願の温度を下げることができる運動アームバッグの具体的な構成を参照して本出願の温度を下げることができる運動アームバッグの使用方法を詳しく紹介する：
【００１４】
アームを円柱溝１５に入れ、アームネット１０の変形によりアームを挟み、手荷物などを貯蔵溝２５の中に入れ、水を一本入れたい時、ペットボトルの飲み口を半円シート２２と半円ブロック２４との間から張り出し、飲むことに便利を与え、ランニングなどの運動をする過程において、アームが大量の熱量を発散し、熱伝導ロッド２９の伝導により、密閉溝１９の中の空気が膨張し、密閉ブロック２７を推し動かして後ろへ運動させ、長ロッド３９を連動させて後ろへ運動させ、これにより回転板３２とガイド板３４が外部空間に張り出し、圧力ばね４３が復帰し、回転板３２とガイド板３４とを推し動かして外へ開かせ、折り畳み布３３が広がり、これにより回転板３２とガイド板３４との間の空間が増大し、運動過程の中の風が回転板３２とガイド板３４との間を通して速度が速くなり、通気管３７と空気輸送溝３０を通して空気チャンバ１１の中に入り込み、排気口１２を通してアームに吹き、アームの温度を下げる。
【００１５】
本発明の有益効果は：この装置は携帯しやすく、運動過程において運動により生じた風を強くさせ、且つアームバッグの装着されたところに吹かせ、これによりアームの温度を下げ、アームバッグの良い掛け心地を保証し、また運動過程において水を便利に取って飲むことができ、長時間運動の使用に適する。
【００１６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175062.tif 000003
【図２】
2020175062.tif 000004
【図３】
2020175062.tif 000005
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
アームバッグベースとアームネットとを含み、前記アームバッグベースの中には密閉溝が設置され、前記密閉溝の中には温度下げ機構がスライドできるように設置され、前記温度下げ機構は長ロッドを含み、前記密閉溝の後端壁が収納溝により外部空間に連通しており、前記密閉溝の中には密閉ブロックがスライドできるように設置され、前記密閉ブロックの後端面には後端が前記収納溝の中に位置している前記長ロッドが固定され、前記長ロッドの中にはＬ型溝が設置され、前記長ロッドの後端面の左側には後端が外部空間に位置している回転板がヒンジでつながれ、前記長ロッドの後端面の右側には後端が外部空間に位置しているガイド板がヒンジでつながれ、前記回転板の右端面には空気阻み板が固定され、前記ガイド板の左端面には制限板が固定され、前記回転板と前記ガイド板との間が二つの折り畳み布により固定的に連結され、二つの前記折り畳み布の間には前記回転板と前記ガイド板とを固定する圧力ばねが設置され、前記長ロッドの上端面の中心には前記Ｌ型溝に連通している通気管が固定され、前記温度下げ機構の左側には空気機構が設置され、前記空気機構は前記アームバッグベースと固定的に連結される弧状ブロックを含み、前記弧状ブロックの中には後端壁が外部空間に連通している方形溝が設置され、前記弧状ブロックの左端面には前記アームネットが固定され、前記アームネットの中には前記アームネットの上下端面を貫通している円柱溝が設置され、前記アームネットの中には前記円柱溝に連通している環状溝が設置され、前記環状溝の中には環状管が植設され、前記環状管の中には空気チャンバが設置され、前記空気チャンバの端壁には二十五個の排気口が均一的に分布しており、前記環状溝が横溝により前記方形溝と連通しており、前記空気チャンバの右端壁には前記空気チャンバと前記Ｌ型溝とを連通させるホースが固定され、前記ホースの中には空気輸送溝が設置され、前記アームネットの中には右端が前記密閉溝の中に位置している熱伝導ロッドが植設され、前記熱伝導ロッドが前記アームネットの中の熱量を前記密閉溝の中に伝導でき、これにより前記密閉ブロックが後ろへ運動することを特徴とする温度を下げることができる運動アームバッグ。
【請求項２】
前記アームバッグベースの右端面にはアームバッグが固定され、前記アームバッグの中には貯蔵溝が設置され、前記アームバッグの上端面には弧状布が固定され、前記弧状布の前端面の左側には半円シートが固定され、前記弧状布の前端面の右側には半円ブロックが固定され、前記弧状布の中には短務歯とロック務歯とが植設され、前記短務歯の中には短引き手が設置され、前記ロック務歯の中にはロック引き手が設置され、前記ロック引き手と前記短引き手とを引き動かして前記半円シートと前記半円ブロックとを近づかせまたは離れさせることができることを特徴とする請求項１に記載の温度を下げることができる運動アームバッグ。